(57)【要約】  ベッドのベッドレール４０に対して対象３０を着脱可能に付けるベッドレールマウント１０が提供される。ベッドレールマウントは、ベッドレールにわたり位置決めするため、Ｕ形のブラケットを有する。上記Ｕ形のブラケットの１つの足７０は、Ｕ形のリセス２０を有する。これは、上記ベッドレールマウントが回転するとき、上記ベッドレールを受け、上記ベッドレールマウントが更に回転して、上記ベッドレールから分離するのを防止する。対象は、上記Ｕ形のブラケットの他の足６０に付けられる。
2016529934.tif 000002
【特許請求の範囲】
【請求項１】
ベッドレール又はベッドボードに対象を着脱可能に付けるベッドレールマウントであって、
前記ベッドレール又はベッドボードを受ける第１及び第２のＵ形フック部分を有し、
各Ｕ形フック部分が、第１の足、第２の足及び前記第１及び第２の足を接続する接続足を含み、
前記第１のＵ形フック部分の前記第１の足は、前記対象に対して取り付け可能で、端部分に前記第１のＵ形フック部分の前記第２の足の方を指す突起を含み、
前記第１のＵ形フック部分の前記第２の足が、前記第２のＵ形フック部分を含み、
前記第１及び第２のフック部分は、前記ベッドレール又はベッドボードを受ける開口部を持ち、
前記第２のＵ形フック部分の前記開口部が、前記第１のＵ形フック部分の前記第１の足の方を向いており、
前記第２のＵ形部分の前記第１の足は、前記第１のＵ形部分の前記第２の足の端部分に位置決めされ、
前記第１のＵ形フック部分の開口部が、前記突起の端部分及び前記第１のＵ形部分の前記第２の足の間の最小距離であり、
前記第１のＵ形フック部分の前記開口部は、前記第１のＵ形部分の前記第１及び第２の足を接続する前記接続足の長さより大きい、ベッドレールマウント。
【請求項２】
前記第２のＵ形フック部分の前記接続足の長さが、前記第１のＵ形フック部分の前記第２の足の長さと同じ長さを持ち、前記第２のＵ形部分の前記第２の足は、前記第１のＵ形部分の前記接続足により形成される、請求項１に記載のベッドレールマウント。
【請求項３】
前記第２のＵ形部分の前記第１の足が、前記第２のＵ形部分の前記第２の足より長い、請求項１又は２に記載のベッドレールマウント。
【請求項４】
前記第２のＵ形部分の前記第１の足及び前記接続足の長さの比率が、０．２５以上である、請求項１乃至３の任意の一項に記載のベッドレールマウント。
【請求項５】
前記第１のＵ形部分の前記第１及び第２の足が、互いに対して２５〜３５度の範囲にある角度を持つ、請求項１乃至４の任意の一項に記載のベッドレールマウント。
【請求項６】
前記突起が、前記第１のＵ形フック部分の前記第１の足に垂直に方向付けられ、前記突起の長さ及び前記第１のＵ形部分の前記第１の足の長さの比率は、０．３〜０．５の範囲にある、請求項１乃至５の任意の一項に記載のベッドレールマウント。
【請求項７】
前記第１のＵ形フック部分の前記第１の足の端部分に接続される支持部材を更に有し、前記対象が、前記支持部材を介して前記第１の足に取り付け可能である、請求項１乃至６の任意の一項に記載のベッドレールマウント。
【請求項８】
ベッドに対象を付けるベッドハンガーであって、
請求項１乃至６の任意の一項に記載の第１及び第２のベッドレールマウントを有し、
前記第１及び第２のベッドレールマウントの前記第１のＵ形部分の各々の前記第２の足が、相互ハンドル部材で接続される、ベッドハンガー。
【請求項９】
前記第１及び第２のベッドレールマウントの前記第１のＵ形部分の各々の前記第１の足の端に接続される更なる相互ハンドル部材を有し、
前記更なる相互ハンドル部材が、前記対象に着脱可能に付くよう構成される、請求項８に記載のベッドハンガー。
【請求項１０】
請求項１乃至７のいずれか一項に記載のベッドレールマウント又は請求項８若しくは９に記載のベッドハンガーを有する患者モニタ。
【発明の詳細な説明】
【技術分野】
【０００１】
本発明は、ベッドレールマウントに関し、より詳細には病院ベッドに対象を付けるために用いられるベッドハンガーに関する。
【背景技術】
【０００２】
病院において、患者モニタといった対象が、病院ベッドに付けられることができ、これは、患者の搬送の間、バイタルサインの継続的なモニタリングを可能にする。従って、ベッドに対して対象を着脱可能に付けるために用いられることができるベッドレールマウントの必要性が存在する。ベッドレールマウントを持つ患者モニタの例は、第ＵＳ６，２４７，６７４号に開示される。第ＷＯ２００８／０５０３０８号は、器材を保持する又は搬送する懸架デバイスを開示する。このデバイスは、複数の幾何学的なプロファイルのバーと係合するよう曲がることができる足を持つ。
【発明の概要】
【発明が解決しようとする課題】
【０００３】
患者モニタといった対象がベッドレールマウントを用いてベッドレールに容易にかつ信頼性高く取り付けられることができ、再び必要なときに、（例えば、ベッドレールマウントの足を曲げるため）ベッドレールマウントをベッドレールに力で固定する必要なしにベッドレールから容易に取り外されることができることが望ましい。
【課題を解決するための手段】
【０００４】
従って、請求項１に記載されるベッドレールに対象を着脱可能に付けるベッドレールマウントが提供される。ベッドレールマウントは、接続足の長さより小さな直径を持つベッドレール又は厚みを持つベッドボードに適している。ベッドレールマウントのベッドレールへの簡単な結合を可能にするため、第１の足での突起及び第１のＵ形部分の第２の足の端部分の間の開口又は距離（これは、第１のＵ形部分の第１及び第２の足の間の最小距離である。これを通り、ベッドレールはそれが静止する接続足に達する前に通過することができなければならない）は、第１のＵ形フック部分の第１及び第２の足の間に接続される接続足の長さより長い。使用の際、ベッドレールマウントは、その接続足を用いてベッドレール上に載置される。ベッドレール（又はベッドボード）を受ける開口部が接続足より大きいので、ベッドレール上にベッドレールマウントを置くとき、第１及び第２の足を曲げるのに力は必要とされない。第１のＵ形フック部分又はブラケットを有するベッドレールマウントが、ベッドレールに対して対象を着脱可能に付けるためベッドレールにわたり置かれることができる。ここで、第１のＵ形部分の足は、ベッドレールにおけるクランプ力と作用することがない。対象が、上記第１のＵ形部分の第１の足に付けられると、対象の重みは、対象及びベッドレールマウントのアセンブリがベッドレール周りで回転することをもたらす場合がある。ベッドレールに対する対象の結合の信頼性を増加させるため、ベッドボードに面する突起が、可能な回転の量を制限するよう、第１のＵ形フック部分の第１の足に加えられる。ベッドレールに対する取付けの信頼性を更に増加させるため、第１のＵ形フック部分の第２の足は、第２のＵ形部分を持つ。これは、ベッドレールを受けるためその内側（第１の足に面する側）にリセスを形成する。ベッドレールマウントがベッドレール周りで回転し始めるか又は例えば搬送により生じる振動が原因でベッドレールにわたりスリップし始める場合、このリセスはベッドレール又はベッドボードを握持する。第２のＵ形部分は、ベッドレールマウント（及びこれに付けられる対象）がベッドから分離するのを防止する。上記のベッドレールマウント特徴は、ベッドレールマウントの足がベッドレールにおけるクランプ力と作用する必要なしに、ベッドレール又はベッドボードに対するベッドレールマウントの信頼性が高く簡単な結合を可能にするベッドレールマウントを生じさせる。ベッドレールマウントは、ベッドレール周りで第１のＵ形部分の足を曲げるのに力を行使する必要なしに、ほぼ接続足の長さまでの直径を持つベッドレールへの汎用的で簡単な適合を持つ。
【０００５】
ある実施形態において、（第１のＵ形部分の第２の足の端部に最も近い）第２のＵ形部分の第１の足と第１のＵ形部分の接続足の長さの比率は、０．２５以上である。ベッドレールマウントを用いてベッドレールに付けられるさまざまな重みの対象を用いるさまざまな試験は、少なくとも０．２５の比率値が、ベッドレールマウントを用いて対象（例えば患者モニタ）がベッドレールからスリップするのを防止するのに充分なグリップを提供することを示した。
【０００６】
ベッドレールマウントにおけるベッドレールの簡単なアクセスを可能にするため、第１のＵ形部分の開口部は、第１のＵ形部分の接続足の長さより大きい。結果として、第１のＵ形部分の第１及び第２の足は、平行ではなく、互いに対して１０〜４５度の角度を持つ。ある実施形態において、第１のＵ形部分の第１及び第２の足は、互いに対して２５〜３５度の範囲の角度を持つ。
【０００７】
更なる実施形態において、突起の長さ及び第１のＵ形フック部分の第１の足の長さの比率は、０．３〜０．５の範囲である。この範囲にある比率は、ベッドレール又はベッドボードに対してベッドレールマウントを用いて付けられる患者モニタに関して、複数の直径のベッドレールに関して、良好な視覚的な角度を提供する。
【０００８】
ある実施形態においてベッドに対する損傷を防止するため、少なくともベッドレールマウントの第１のＵ形部分の接続足は、例えばゴムといった柔らかい又は可撓性の物質でカバーされる。リセスのグリップを更に増加させるため、第２のＵ形部分は、ゴムでカバーされることができる。
【０００９】
より大きい対象がベッドレールに結合される必要がある場合、２つ又はこれ以上のベッドレールマウントが、ベッドハンガーを形成するよう互いに接続されることができる。第１のＵ形フック部分の第２の足が、ベッドハンガーを形成するよう、相互ハンドル部材で接続される。第１のＵ形フック部分の第１の足は、例えば患者モニタといった対象に対して例えばネジを用いて取り付け可能である。相互ハンドル部材は、患者モニタを搬送するための握持領域を提供することができる。このベッドハンガーは、より大きい対象がベッドレールに対して確実に掛けられることができる利点を提供する。
【００１０】
ある実施形態において更に、第１のＵ形部分の第１の足は、更なる相互ハンドル部材で接続される。更なる相互ハンドル部材は、ベッドハンガーへの対象の取付けに関して、より可能性がある位置を提供する。
【００１１】
患者のベッドに対するモニタの簡単な結合を可能にする従属項のいずれかに記載のベッドレールマウント又はベッドハンガーを有する患者モニタが更に提供される。
【図面の簡単な説明】
【００１２】
【図１】付属の患者モニタを持つ病院ベッドの図である。
【図２ａ】ベッドレールマウントの実施形態の概略的な描画を示す図である。
【図２ｂ】ベッドレールマウントの実施形態の概略的な描画を示す図である。
【図３】ベッドレールマウントの実施形態の概略的な描画を示す図である。
【図４ａ】ベッドレールマウントの実施形態の概略的な描画を示す図である。
【図４ｂ】ベッドレールマウントの実施形態の概略的な描画を示す図である。
【図５】ベッドレールマウントの実施形態の概略的な描画を示す図である。
【図６】ベッドレールマウントの実施形態の概略的な描画を示す図である。
【図７】ベッドハンガーの実施形態の概略的な描画を示す図である。
【図８】ベッドハンガーの実施形態の概略的な描画を示す図である。
【図９】ベッドハンガーの実施形態の概略的な描画を示す図である。
【図１０ａ】ベッドハンガーを有する患者モニタの実施形態を示す図である。
【図１０ｂ】ベッドハンガーを有する患者モニタの実施形態を示す図である。
【発明を実施するための形態】
【００１３】
本発明の様々な実施形態が、以下の図面を参照し、例示に過ぎないものを用いて説明される。
【００１４】
図１において、ベッド１１０が示され、これは、マットレス１２０と、マットレスに関する支持部及び車輪のついた下部構造を持つ矩形の管状フレーム構造とを持つ。典型的な病院ベッドは、追加的な部材を具備する。例えば、サイドレール、足及び頭部ボード１３０（足及び頭部ボードは一緒にベッドボードとも呼ばれる）である。本発明によるベッドレールマウント１０は、足及び頭部ボードだけでなくサイドレールに結合されるのに適している。例えば図２ａに示されるサイドレール４０は、円形横断面を持つが、この横断面は、同様に他の形状を持つことができる。足及び頭部ボードの上部エッジは、丸くされることができるか又は図３に示されるようにエッジを付けられることができる。図１において、ベッドレールマウント１０はレール又は足ボードに付けられ、患者モニタ２２０は、ベッドレールマウントに付けられる。患者モニタは、異なる生理的値を測定して、ベッドにおける患者２００のＥＣＧ、呼吸、Ｓｐ０２、血圧等の測定を提供することができる。検出された生理的パラメータが、プリセットされた限界を上回るか又は下回る場合、警報が生成される。（突起１００の端部分及び第１のＵ形部分の第２の足７０の間の最小距離である）ベッドレールマウントの開口部６は、それがベッドに対して結合されるとき、ベッドボード又はベッドレールのベッドレールマウントへの簡単なアクセスを容易にするため、ベッドボードの厚み５（図３を参照）又はベッドボードの上のベッドレールの直径４（図２ａを参照）より大きい。患者モニタは、介護者２１０と面するディスプレイ３１を含む。介護者は、例えばベッドが別の位置に移動される間、（ディスプレイに示される）患者２００のバイタルサインをチェックすることができる。図１は更に、ベッドレールマウント１０が、ベッド板に面する接触部材又は突起１００を含むことを示す。ベッドレールマウントの足がベッドボード又はベッドレールに対してベッドレールマウントを固定しないので、患者モニタ−ベッドレールマウントアセンブリは、ベッドレール又はベッドボードの上部端の周りで回転することができる。患者モニタ−ベッドレールマウントアセンブリの回転を防止し、ベッドレールの直径又はベッドボードの厚みに関して異なる寸法を持つさまざまなベッド１１０に対する患者モニタの信頼性が高い取付けを可能にするため、内部の対向する突起１００が加えられる。突起１００は、立っている介護者２２０に関してモニタディスプレイの表示角度を改良するため、患者モニタ２２０が角度１１（好ましくは２０〜３０度の範囲）で傾斜することをもたらす。
【００１５】
図２ａ及び図２ｂは、ベッドレール４０及び足ボード１３０に対するベッドレールマウント１０の取付けに関する詳細を示す。明確さのため、ベッドの一部分だけが示される。レール及び足ボードは、別々の要素でもよく、又は図３に示されるように一体化されることができる。ベッドレールマウントは、対象３０（例えば患者モニタ）をベッドに付けるため、ベッドレールにわたり置かれるＵ形のブラケット又は第１のＵ形フック部分を有する。Ｕ形のブラケット又は第１のＵ形フック部分は、開口部６を持ち、これは、レール４０及び足ボードが入ることを可能にする。Ｕ形のブラケット又は第１のＵ形部分は、レール４０を受けるよう構成され、開口部６と反対の接続足８０と結合される第１及び第２の足６０、７０を有する。例えばストラップ、ネジ５０又は他の手段を用いて、対象は、第１の足に付けられる（又は着脱可能に付けられる）。開口部６は、患者モニタ−ベッドレールマウントアセンブリが載る接続足８０に対するアクセスを提供する第１及び第２の足６０、７０の間の最小距離である。開口部６は、ベッドレールの直径４又はベッドボードの厚み５より大きい。
【００１６】
図２ａは更に、第１及び第２の足６０、７０の端部分にあり、互いに向かって面する第１及び第２の接触部材又は突起１００、２２を示す。その結果、Ｕ形のブラケットに対する開口部６又はアクセスが、接触部材又は突起の端部分の間の距離により決定される。接続足８０の長さは、ほぼベッドレール４０の直径となる。その結果、使用中ベッドハンガーがフィットされるとき、ベッドレール又はベッドボードの端及び接続足が、互いに接触する。接続足の長さは、第１のＵ形フック部分の接続足８０及び第２の足７０の間の角度に依存するベッドレールの直径より少し小さくてもよい。開口部６は少なくともベッドレール４０の直径と同じ大きさでなければならないので、第１及び第２の足６０、７０は、平行ではなく、互いに対して１０〜４５度の範囲の角度を持つ。第２の接触部材又は突起２２は、対象及びベッドレールマウントのアセンブリがベッドレール４０（図４ｂを参照）からスリップすることを防止する。本実施形態において、第２のＵ形フック部分（これは、第１のＵ形フック部分の第２の足に含まれる）は、第１のＵ形フック部分の接続足８０及び第２の足７０と突起２２とを有する。
【００１７】
図２ｂは、第２の足７０がＵ形のリセス２０又は第２のＵ形フック部分を含む実施形態を示す。内部の対向する接触部材又は突起２２は、第２のＵ形フック部分の第１の足を形成する。これは、接触部材２２より短い長さを持つことができる第２の足２１を更に有する。図４ａを参照し、マウントが、レール周りで回転する、又は足若しくは頭部ボードの端部の周りでスリップする場合、第２のＵ形フック部分は、ベッドレール４を受け及び捕らえる。搬送が原因でベッドレールマウント及び取り付けられた対象のアセンブリが振動するとき、これは例えば起こることができる。図６を参照すると、対象３０の重みが、対象及びベッドレールマウントのアセンブリが、回転又はスリップすることをもたらす。リセス２０又は第２のＵ形フック部分は、第２の足においてＵ形の溝として形成されることができる。これは、外側での突起をもたらすことができる（この側は、第１のＵ形部分の第１の足から離れて向く）。第１のＵ形フック部分の第２の足７０が十分に「厚い」場合、第２のＵ形フック部分２０は、突起をもたらさない場合がある。例えば、図１０を参照されたい。第２のＵ形フック部分の第１及び第２の足は、例えば図２ｂ及び図３に示されるように異なる長さを持つことができる。ベッドレールにおいて（第１のＵ形フック部分の第２の足における）Ｕ形のリセスのグリップを更に増加させるため、開口部６に最も近いＵ形のリセスの足２２は、Ｕ形のリセスの他の足２１より長い。対象３０は例えば、患者のバイタルサインに関する情報を介護者に提示するディスプレイ３１を持つ患者モニタとすることができる。ベッドレールマウントは更に、第１のＵ形フック部分（図２ｂを参照）の第１の足６０の端部分に接続される内部の対向する（第２の足を向く）突起又は接触部材１００を含む。開口部６は、接触部材の端部分及び第２のＵ形部分の第１の足２２の間の距離により規定される。接触部材又は位置決め部材１００は、ベッドレール上でベッドレールマウントがクランプ力と作用することがないので、（患者モニタ及びベッドレールマウントの）アセンブリの重みが、それが回転をもたらすことを防止する。回転は、ベッドレールへの信頼性の低い取り付けをもたらし、及びディスプレイ３１に提示される情報が立っている介護者（図１を参照）による読み取られることをより難しくする位置への信頼性の低い取り付けをもたらす。
【００１８】
図３において、第１のＵ形フック部分は、エッジのついた上部を持つ足又は頭部ボードを受ける。図３は、第２のＵ形フック部分の別の実施形態を示す。そこでは、開口部６に最も近い第１の足２２が、第２のＵ形フック部分の第２の足２１より長い。図２ｂに示される第２のＵ形部分と比較すると、図３に示される実施形態は、開口部６（又は第１及び第２の接触部材１００、２２の端の間の距離）が、第２の接触部材２２の長さにより減らされず、開口部を比較的より大きくし、足又は頭部ボードでのベッドレールマウントを位置決めするのをより容易にするという利点を持つ。
【００１９】
図４ａ及び図４ｂは、ベッドレール４０を受け、対象３０及びベッドレールマウントのアセンブリが落ちるのを防止するようベッドレールを握持するため、第２のＵ形フック部分がどのように配置されるかを示す。対象が第１のＵ形部分の第１の足６０の外側（第２の足から向きがそれている側）に付けられるので、頭部又は足ボードがないとき、アセンブリの重心はアセンブリがレール４０周りで回転することをもたらす。第２のＵ形フック部分の第１の足（図４ａ）又は第２の接触部材２２（図４ｂ）は、アセンブリがレールからスリップし、地面に落ちるのを防止する。試験は、最も効果的な把持部分に関して、第２の接触部材（又は突起）２２の長さと接続足８０の長さの比率が、０．２５以上であるべきであることを示した。
【００２０】
図５は、患者モニタ３０−ベッドレールマウント１０アセンブリのベッドへの簡単な取付けを容易にする開口部６（又は第１及び第２の接触部材（若しくは突起）１００、２２の端の間の距離）を持つベッドレールマウントの更なる実施形態を示す。最も一般的なタイプのベッドレールの直径４は、２０ｍｍから４３ｍｍの範囲にある。様々なタイプのベッドレールを持つベッドレールマウントの使用を可能にするため、接続足８０の長さは好ましくは、この範囲における最大長に近いよう選ばれる。本実施形態において、第１のＵ形フック部分の接続足８０の長さは、ベッドレールの直径より大きい。対象３０の重量が原因で、ベッドレールマウントはスライドすることができる。その結果、ベッドレールは、第１のＵ形フック部分の接続足８０及び第２の足７０の両方に寄りかかる。第１の接触部材（又は突起）１００がなければ、対象−ベッドレールマウントアセンブリは、ベッドレール周りで回転し、可能性としてベッドへの取付けの信頼性を減らす（例えば図６は、アセンブリが更に傾くのを接触部材１００が防止することを示し、これにより、第２のＵ形フック部分の握持機能に貢献する）。ほぼ接続足の長さの直径を持つベッドレールに対する簡単なアクセスを提供するため、第１のＵ形フック部分の第１及び第２の足６０、７０は平行でない。その結果、開口部６は、ベッドレールの直径４（又はベッドボードの厚み５）を超える。第１及び第２の足６０、７０を通る仮想ラインは互いに交差し、これらのラインの間（そして、互いに対する第１及び第２の足の間）の角度１２は、２０〜４０度の範囲にあり、好ましくは約３０度である。図６を参照すると、第２の足７０の端の第２の接触部材２２は、リセスと共に把持部分を形成する。これは、モニタ及びベッドレールマウントのアセンブリが、ベッドレール４０からスリップすることを防止する。ある実施形態において、開口部は約４５ｍｍであり、第１のＵ形フック部分の接続足８０の長さは約３５ｍｍである。
【００２１】
図６は、患者モニタ３０−ベッドレールマウントアセンブリの実施形態を示す。そこでは、第１のＵ形フック部分の第２の足の内側（又は第１の足に向かって面する側）におけるＵ形のリセス２０が、ベッドレール４０を握持及び保持する。例えば搬送により生じるベッドの移動が原因で、アセンブリは、振動して、スライド及び回転を始める場合がある。図５を参照すると、Ｕ形のリセス２０は、アセンブリがベッドから落下するのを防止する第２の握持位置を提供する。第１の握持位置は、第１及び第２の足６０、７０及びアセンブリが静止する接続足８０を有する第１のＵ形フック部分により形成される。
【００２２】
図７は、第１のＵ形フック部分の第２の足で相互ハンドル部材９０と結合される２つのベッドレールマウント１０ａ、１０ｂを有するベッドハンガー１５０の実施形態を示す。相互ハンドル部材９０は、対象−ベッドハンガーアセンブリを搬送することを容易にする。ベッドハンガーは、ベッドハンガーに対して対象を固定する取付け手段５０、５１を持つ。取付け手段は、第１のＵ形フック部分の第１の足から離れて延在する支持部５０を有する。対象３０は、支持部に配置されることができ、ストラップ５１を用いて第１の足に固定されることができる。
【００２３】
図８は、ベッドハンガー１５０の別の実施形態を示す。そこでは、更なる相互ハンドル部材１３０が、２つのベッドレールマウント１０ａ、１０ｂの第１のＵ形フック部分の第１の足６０と結合する。更なる相互ハンドル部材はＬ字状でもよい。その結果、それは、第１のＵ形フック部分の第１の足から離れる方向に延在する。これにより、対象が例えばネジで付けられることができる支持部が形成される。
【００２４】
図９は、ベッドハンガー１５０の別の実施形態を概略的に示す。そこには、前述の多くの特徴が含まれる。各ベッドレールマウントは、第１のＵ形のブラケット又はフック部分を含む。そこでは、ベッドレール又はボード周りでの簡単な配置のためより広いアクセス（開口部６を参照）を作るよう、第１及び第２の足６０、７０は平行でない。更なる相互部材ハンドル１３０は、例えば患者モニタといった対象に関する支持部として機能する。第１のＵ形フック部分の第２の足７０に、第２のフック形状部分２０が含まれる。対象の（使用中の）地面に面した側は、ネジで支持部１３０に付けられることができる。ベッドレール、頭部又は足ボードにわたり位置決めされるとき、接触部材１００は、支持部１３０上に位置決めされる患者モニタのディスプレイの下方への傾斜を防止する。なぜなら、位置決め部材１００が、ベッドハンガー−患者モニタアセンブリのベッドレール（図１０ｂを参照）周りでの回動運動を制限するからである。Ｌ形の相互ハンドル部材９０は、第１のＵ形フック部分の第２の足７０を各々に対して結合する。
【００２５】
図１０ａ及び図１０ｂは、図９に示される患者モニタ３０及びベッドハンガー１５０のアセンブリを示す。ベッドハンガーは、患者モニタに着脱可能に付けられ、又は例えばネジでそれに固定されることができる。ベッドハンガーは、モニタの後方側から延在する。図１０ｂは、ベッドレール４０上のベッドレールマウントで位置決めされるアセンブリを示す。使用の際、ベッドレールが第１のＵ形フック部分において受けられるとき、ベッドレールマウントの第１の足及びベッドボード１３０の間の角度が、２０〜３０度の範囲にあることを、第１の突起１００がもたらす。こうして、（第１の足から垂直に延在する）突起１００の長さ及び第１のＵ形フック部分の第１の足６０の長さの比は好ましくは、ａｒｃｔａｎ（π／９）−ａｒｃｔａｎ（π／６）の範囲にあるか、又は約０．３〜約０．５の範囲にある。
【００２６】
要約すると、ベッドのベッドレール４０に対して対象３０を着脱可能に付けるベッドレールマウント１０が提供される。ベッドレールマウントは、ベッドレールにわたり位置決めするためのＵ形ブラケットを有する。Ｕ形ブラケットの１つの足７０は、Ｕ形リセス２０を有する。これは、ベッドレールマウントが回転するとき、ベッドレールを受け、ベッドレールマウントが更に回転して、ベッドレールから分離するのを防止する。対象は、Ｕ形のブラケットの他の足６０に付けられる。
【００２７】
図面、開示及び添付された請求項の研究から、開示された実施形態に対する変形が、請求項に記載の本発明を実施する当業者により理解され、実行されることができる。請求項において、単語「有する」は他の要素又はステップを除外するものではなく、不定冠詞「ａ」又は「ａｎ」は複数性を除外するものではない。シングルプロセッサ又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。請求項における任意の参照符号は、発明の範囲を限定するものとして解釈されるべきではない。
【図１】
2016529934.tif 000003
【図２ａ】
2016529934.tif 000004
【図２ｂ】
2016529934.tif 000005
【図３】
2016529934.tif 000006
【図４ａ】
2016529934.tif 000007
【図４ｂ】
2016529934.tif 000008
【図５】
2016529934.tif 000009
【図６】
2016529934.tif 000010
【図７】
2016529934.tif 000011
【図８】
2016529934.tif 000012
【図９】
2016529934.tif 000013
【図１０ａ】
2016529934.tif 000014
【図１０ｂ】
2016529934.tif 000015
【国際調査報告】
2016529934.tif 000016
2016529934.tif 000017